(57)【要約】  第１の部分と、第２の部分と、インターフェースとを有するジャケット。インターフェースが第１の部分及び第２の部分に移動可能に結合される。第１の部分が複数の医療用モジュールを備える。複数の医療用モジュールが、少なくとも１つの医療用センサと、第１の部分の内側側部から第１の部分の外部側部まで生理学的信号を転送するための生理学的信号管路とを有する。第１及び第２の部分が携帯電話に着脱自在に結合されるように構成される。ジャケットが閉位置にある場合、第１の部分、第２の部分、及びインターフェースが携帯電話を受けるように構成され得る内部空間を画定し、第１及び第２の部分が携帯電話の両側の側部に接触する。ジャケットが開位置にある場合、第１及び第２の部分の一方のみが携帯電話に接触する。
2019536302.tif 000002
【特許請求の範囲】
【請求項１】
ジャケットであって、前記ジャケットが：
第１の部分と；
第２の部分と；
インターフェースと
を備え、
前記インターフェースが前記第１の部分及び前記第２の部分に移動可能に結合され；
前記第１の部分が複数の医療用モジュールを備え、前記複数の医療用モジュールが、少なくとも１つの医療用センサと、前記第１の部分の内側部から前記第１の部分の外側部まで生理学的信号を転送するための生理学的信号管路とを備え；
前記第１及び第２の部分が携帯電話に着脱自在に結合されるように構成され；
前記ジャケットが閉位置にある場合、前記第１の部分、前記第２の部分、及び前記インターフェースが、前記携帯電話を受けるように構成される内部空間を画定し、前記第１及び第２の部分が前記携帯電話の両側の側部に接触し；
前記ジャケットが開位置にある場合、前記第１及び第２の部分の一方のみが前記携帯電話に接触する、
ジャケット。
【請求項２】
前記生理学的信号管路が電極である、請求項１に記載のジャケット。
【請求項３】
前記ジャケットが前記閉位置にある場合、前記生理学的信号管路が前記携帯電話に接触する、請求項１に記載のジャケット。
【請求項４】
前記生理学的信号管路が内側表面及び外側表面を有し、前記外側表面の面積が前記内側表面の面積を上まわり、前記ジャケットが前記閉位置にある場合は前記内側表面が前記内部空間の方を向く、請求項１に記載のジャケット。
【請求項５】
前記生理学的信号管路及び別の生理学的信号管路を備え、前記生理学的信号管路が内側表面及び外側表面を備え、前記別の生理学的信号管路が別の内側表面及び別の外側表面を備え、前記ジャケットが前記閉位置にある場合は前記内側表面及び前記別の内側表面が前記内部空間の方を向く、請求項１に記載のジャケット。
【請求項６】
前記外側表面の面積が前記内側表面の面積を上まわり、前記別の外側表面の面積が前記別の内側表面の面積を上まわる、請求項５の記載のジャケット。
【請求項７】
前記外側表面と前記別の外側表面との間の距離が、前記内側表面と前記別の内側表面との間の距離を上まわる、請求項５に記載のジャケット。
【請求項８】
前記生理学的信号管路及び前記別の生理学的信号管路が、前記複数の医療用モジュールの１つ又は複数の信号プロセッサに結合される、請求項５に記載のジャケット。
【請求項９】
前記複数の医療用モジュールが温度計を備える、請求項１に記載のジャケット。
【請求項１０】
前記複数の医療用モジュールが、コンベヤ上で運ばれる医学的試料を分析するように構成される分析器を備え、前記ジャケットが前記コンベヤを受けるためのスロットを備える、請求項１に記載のジャケット。
【請求項１１】
前記第１及び第２の部分の少なくとも一方が前記携帯電話を部分的に囲むように構成される、請求項１に記載のジャケット。
【請求項１２】
前記第１及び第２の部分がプレートである、請求項１に記載のジャケット。
【請求項１３】
前記第１及び第２の部分が、前記携帯電話のイメージ・センサの位置に対応するアパーチャを備える、請求項１に記載のジャケット。
【請求項１４】
ジャケットであって、前記ジャケットが：
第１の部分と；
第２の部分と；
インターフェースと
を備え、
前記第１及び第２の部分が前記インターフェースに移動可能に結合され、（ａ）前記第１及び第２の部分が互いから離間され、第１の順番に配列されるところの閉位置と、（ｂ）前記第１及び第２の部分が互いに接触して、前記第１の順番とは逆である第２の順番に配列されるところの開位置と、の間で移動するように構成され；
前記第１の部分が複数の医療用モジュールを備え；
前記第１及び第２の部分が携帯電話に着脱自在に結合されるように構成され；
前記閉位置に配置される場合、前記第１の部分、前記第２の部分、及び前記インターフェースが、前記携帯電話を受けるように構成される内部空間を画定する、
ジャケット。
【請求項１５】
前記第１及び第２の部分の少なくとも一方が前記携帯電話を部分的に囲むように構成される、請求項１４に記載のジャケット。
【発明の詳細な説明】
【技術分野】
【０００１】
本出願は、その全体が本明細書に組み込まれている、２０１６年８月２４日に出願された、米国仮特許出願第６２／３７８６９４号の優先権を主張するものである。
【背景技術】
【０００２】
個人用医療モニタが提供することの必要性が増大している。
【発明の概要】
【課題を解決するための手段】
【０００３】
第１の部分と、第２の部分と、インターフェースとを有するジャケットが提供され得る。インターフェースが第１の部分及び第２の部分に移動可能に結合され得る。第１の部分が複数の医療用モジュールを有することができる。複数の医療用モジュールが、少なくとも１つの医療用センサと、第１の部分の内側部から第１の部分の外側部まで生理学的信号を転送するための生理学的信号管路（ｐｈｙｓｉｏｌｏｇｉｃａｌ  ｓｉｇｎａｌ  ｃｏｎｄｕｉｔ）とを有する。第１及び第２の部分が携帯電話に着脱自在に結合されるように構成され得、したがって、第１及び第２の部分が、着脱自在の結合を可能にする着脱要素（付着力のあるバンド（ａｄｈｅｓｉｖｅ  ｂａｎｄ）、及びフック−ループ・テープ等）を有する。ジャケットが閉位置にある場合、第１の部分、第２の部分、及びインターフェースが携帯電話を受けるように構成され得る内部空間を画定し、第１及び第２の部分が携帯電話の両側の側部に接触することができる。内部空間が、内部空間の形状及びサイズを携帯電話の形状及びサイズに適合する、つまり携帯電話より大きくてよい（例えば、５〜３０ｄｅｇｒｅｅｓ）という意味において、携帯電話を受けるように構成され得る。第１及び第２の部分が、第１及び第２の部分により内部空間の２つの両側の側壁を形成するという意味において、携帯電話の両側の側部に接触することができる。ジャケットが開位置にある場合、第１及び第２の部分の一方のみが携帯電話に接触することができる。開位置にある場合、第１及び第２の部分の一方のみが内部空間の側壁を形成する。
【０００４】
携帯電話が所定の形状及びサイズの市販の製品であってよく、したがってジャケットが任意の形状及びサイズの携帯電話に適合するように作られてもよい。携帯電話の非限定の例には、２センチメートルを通常は超えない厚さと、対角線上で測定して１０．２ｃｍ（４インチ）から１７．８ｃｍ（７インチ）  の間の長さと有する平坦で実質的に長方形形状の携帯電話が含まれる。携帯電話の非限定の例には、Ａｐｐｌｅ、Ｓａｍｓｕｎｇ、ＬＧ、Ｈｕａｗｅｉ、Ｘｉａｏｍｉ、Ｎｏｋｉａ、ＢｌａｃｋＢｅｒｒｙ、Ｇｏｏｇｌｅ、及びＯｎｅＰｌｕｓ  Ｏｎｅ等による市販の携帯電話製品が含まれてよい。
【０００５】
生理学的信号管路が電極であってよい。
【０００６】
ジャケットが閉位置にある場合、生理学的信号管路が携帯電話に接触することができる。
【０００７】
生理学的信号管路が内側表面及び外側表面を有することができ、外側表面の面積が内側表面の面積を上まわってよく、ジャケットが閉位置にある場合は内側表面が内部空間の方を向く。
【０００８】
ジャケットが生理学的信号管路及び別の生理学的信号管路を有することができ、生理学的信号管路が内側表面及び外側表面を有することができ、別の生理学的信号管路が別の内側表面及び別の外側表面を有することができ、ジャケットが閉位置にある場合は内側表面及び別の内側表面が内部空間の方を向く。
【０００９】
外側表面の面積が内側表面の面積を上まわってよく、別の外側表面の面積が別の内側表面の面積を上まわってよい。
【００１０】
外側表面と別の外側表面との間の距離が内側表面と別の内側表面との間の距離を上まわってよい。
【００１１】
生理学的信号管路及び別の生理学的信号管路が、複数の医療用モジュールの１つ又は複数の信号プロセッサに結合されてもよい。
【００１２】
複数の医療用モジュールが温度計を有することができる。
【００１３】
複数の医療用モジュールが、コンベヤ上で運ばれる医学的試料を分析するように構成され得る分析器を有することができ、ジャケットがコンベヤを受けるためのスロットを有することができる。
【００１４】
第１及び第２の部分の少なくとも一方が携帯電話を部分的に囲むように構成されてもよい。
【００１５】
第１及び第２の部分がプレートであってよい。
【００１６】
第１及び第２の部分が、携帯電話のイメージ・センサの位置に対応するアパーチャを有することができる。
【００１７】
第１の部分と、第２の部分とインターフェースとを有することができるジャケットが提供されてもよい。第１及び第２の部分がインターフェースに移動可能に結合されてもよく、（ａ）第１及び第２の部分が互いから離間され得、第１の順番に配列されてよいところの閉位置と、（ｂ）第１及び第２の部分が互いに接触することができ、第１の順番とは逆であってよい第２の順番に配列されてよいところの開位置と、の間で移動するように構成されてもよい。第１の部分が複数の医療用モジュールを有することができる。第１及び第２の部分が携帯電話に着脱自在に結合されるように構成されてもよい。閉位置に配置される場合、第１の部分、第２の部分、及びインターフェースが、携帯電話を受けるように構成されてもよい内部空間を画定する。
【００１８】
第１及び第２の部分の少なくとも一方が携帯電話を部分的に囲むように構成されてもよい。
【００１９】
本発明とみなされる主題が具体的に明記され、本明細書の結論部分で明確に特許請求される。しかし、本発明は、添付図面と共に読むことにより以下の詳細な説明を参照することにより、構成及び動作方法の両方に関して、本発明の目的、特徴、及び利点と共に非常に良好に理解され得る。
【図面の簡単な説明】
【００２０】
【図１】本発明の実施例による、少なくとも１つの医療用モジュールを有するジャケットの少なくとも一部分を示す図である。
【図２】本発明の実施例による、少なくとも１つの医療用モジュールを有するジャケットの少なくとも一部分を示す図である。
【図３】本発明の実施例による、少なくとも１つの医療用モジュールを有するジャケットの少なくとも一部分を示す図である。
【図４】本発明の実施例による、少なくとも１つの医療用モジュールを有するジャケットの少なくとも一部分を示す図である。
【図５】本発明の実施例による、少なくとも１つの医療用モジュールを有するジャケットの少なくとも一部分を示す図である。
【図６】本発明の実施例による、少なくとも１つの医療用モジュールを有するジャケットの少なくとも一部分を示す図である。
【図７】本発明の実施例による、少なくとも１つの医療用モジュールを有するジャケットの少なくとも一部分を示す図である。
【図８】本発明の実施例による、少なくとも１つの医療用モジュールを有するジャケットの少なくとも一部分を示す図である。
【図９】本発明の実施例による、少なくとも１つの医療用モジュールを有するジャケットの少なくとも一部分を示す図である。
【図１０】本発明の実施例による、少なくとも１つの医療用モジュールを有するジャケットの少なくとも一部分を示す図である。
【図１１】本発明の実施例による、少なくとも１つの医療用モジュールを有するジャケットの少なくとも一部分を示す図である。
【図１２】本発明の実施例による、少なくとも１つの医療用モジュールを有するジャケットの少なくとも一部分を示す図である。
【図１３】本発明の実施例による、少なくとも１つの医療用モジュールを有するジャケットの少なくとも一部分を示す図である。
【図１４】本発明の実施例による、少なくとも１つの医療用モジュールを有するジャケットの少なくとも一部分を示す図である。
【図１５】本発明の実施例による、少なくとも１つの医療用モジュールを有するジャケットの少なくとも一部分を示す図である。
【図１６】本発明の実施例による、少なくとも１つの医療用モジュールを有するジャケットの少なくとも一部分を示す図である。
【図１７】本発明の実施例による、少なくとも１つの医療用モジュールを有するジャケットの少なくとも一部分を示す図である。
【図１８】本発明の実施例による、少なくとも１つの医療用モジュールを有するジャケットの少なくとも一部分を示す図である。
【図１９】本発明の実施例による、少なくとも１つの医療用モジュールを有するジャケットの少なくとも一部分を示す図である。
【図２０】本発明の実施例による、少なくとも１つの医療用モジュールを有するジャケットの少なくとも一部分を示す図である。
【図２１】本発明の実施例による、少なくとも１つの医療用モジュールを有するジャケットの少なくとも一部分を示す図である。
【図２２】本発明の実施例による、少なくとも１つの医療用モジュールを有するジャケットの少なくとも一部分を示す図である。
【図２３】本発明の実施例による、少なくとも１つの医療用モジュールを有するジャケットの少なくとも一部分を示す図である。
【図２４】本発明の実施例による、少なくとも１つの医療用モジュールを有するジャケットの少なくとも一部分を示す図である。
【図２５】本発明の実施例による、少なくとも１つの医療用モジュールを有するジャケットの少なくとも一部分を示す図である。
【図２６】本発明の実施例による、少なくとも１つの医療用モジュールを有するジャケットの少なくとも一部分を示す図である。
【図２７】本発明の実施例による、少なくとも１つの医療用モジュールを有するジャケットの少なくとも一部分を示す図である。
【図２８】本発明の実施例による、少なくとも１つの医療用モジュールを有するジャケットの少なくとも一部分を示す図である。
【図２９】本発明の実施例による、少なくとも１つの医療用モジュールを有するジャケットの少なくとも一部分を示す図である。
【図３０】本発明の実施例による、少なくとも１つの医療用モジュールを有するジャケットの少なくとも一部分を示す図である。
【発明を実施するための形態】
【００２１】
以下の詳細な説明では、本発明を完全に理解するのを実現するために多数の具体的な細部が記載される。しかし、これらの特定の細部なしでも本発明が実施されてもよいことを当業者であれば理解するであろう。他の例では、本発明を不明瞭にしないようにするために、よく知られている方法、手順、及び構成要素が詳細には説明されない。
【００２２】
本発明とみなされる主題が具体的に明記され、本発明の結論部分で明確に特許請求される。しかし、本発明は、添付図面と共に読むことにより以下の詳細な説明を参照することにより、構成及び動作方法の両方に関して、本発明の目的、特徴、及び利点と共に非常に良好に理解され得る。
【００２３】
説明の単純さ及び分かり易さのために、図に示される要素が必ずしも正確な縮尺で描かれていないことが認識されよう。例えば、分かり易いように、要素のうちの一部の要素の寸法が他の要素に対して拡大されていてよい。更に、適切であるとみなされる場合、複数の図の間において、対応する要素又は類似の要素を示すのに参照符号が繰り返し使用され得る。
【００２４】
本発明の示される実施例は、大部分が、当業者には既知の電子構成要素及び回路を使用して実装されてもよいことから、本発明の教示を曖昧にしたりしないように又は妨げたりしないようにすることを目的として、本発明の根底にある概念を理解及び認識することにおいて、上記に示されるような必要であると考えられる細部を更には説明しない。
【００２５】
本明細書における方法に対しての言及はすべて、変更すべきところは変更して、その方法を実行することができるシステムにも適用される。
【００２６】
本明細書におけるシステムに対しての言及はすべて、変更すべきところは変更して、そのシステムによって実行され得る方法にも適用される。
【００２７】
１つ又は複数の医療用モジュールを有するジャケットが提供される。１つ又は複数の医療用モジュールがジャケットに一体化されてもよいか又はジャケットに着脱自在に接続されてもよい。
【００２８】
ジャケットがスマートフォンを少なくとも部分的に囲むことができる。
【００２９】
ジャケットが、スマートフォンの背面側に接触することができる第１の部分（後方部分等）を有することができる。第１の部分が、ワイヤレス充電器（通常、インダクタンスによる）によりスマートフォンが非接触充電されるのを可能にすることができ、したがってこのような非接触充電を妨害するべきではない。これが、インダクタンス充電阻止物質（ｉｎｄｕｃｔａｎｃｅ  ｃｈａｒｇｉｎｇ  ｂｌｏｃｋｉｎｇ  ｍａｔｅｒｉａｌ）で作られていない厚みのない（例えば、０．５センチメートルより薄くてよい）第１の部分を使用することによって達成され得、つまり第１の部分は例えば金属から作られてよい。別法として、第１の部分が金属部品を含んでもよいか（ただし、金属部品はスマートフォンの背面の一部分しか覆うことができない）、或いはアパーチャを有することができるか又はインダクタンスベースの充電を可能にするメッシュを有することができる。
【００３０】
ジャケットが、ジャケットが閉じられている場合にスマートフォンのスクリーンの方を向くことができる（又は、スクリーンに近接してよい）第２の部分（移動可能な部分等）を有してもよく、それによりスマートフォンのスクリーンを保護する。
【００３１】
第２の部分がインターフェース（中間部分とも称される）を介して第１の部分に結合されてもよい。
【００３２】
第２の部分が動かされ得（例えば、回転させられるか又は任意の他の形で動かされる）、それによりジャケットの第１の部分（及び、スマートフィンの背面）の方を向くようになる。
【００３３】
第２の部分が医療用モジュールを少なくとも部分的に覆い隠すことができる。覆い隠されるべきではない医療用モジュールの部品（例えば、人に触れるべきである及び／又は人の方を向く明瞭な視野を有するべきであるセンサ等）は、永久的に、第２の部分によって覆い隠されるべきではない。このような部品は一時的に密閉されても又は露出されてもよい。これらの部品はジャケットが閉じられるときに露出されてもよく（スマートフォンのスクリーンの方を向かない）、又はジャケットが閉じられるときに覆い隠されてもよい（例えば、スマートフィンのスクリーンの方を向くことができる）。これらの部品には、電極、電極に電気的に結合される導体、及び放射光に沿うように配置されるか又は検出器の前方に配置される光学素子等が含まれてよい。
【００３４】
ジャケットの露出時に医療用モジュールを覆い隠すことにより、医療用モジュールを保護することができ、また公衆に対して医療用モジュールが露出されることによるいかなる不都合も防止することができる。
【００３５】
スマートフォンが、背面側カメラ、及びスマートフォンの背面に配置される他のノブ、ボタン、又は構成要素を装備することができる。スマートフォンの背面に永久的に接続される医療用デバイスはこれらの構成要素を覆うべきではなく、各スマートフォンの正確にデザインに従って適合するように作られるべきである。
【００３６】
医療用モジュールをスマートフォンの背面に永久的に接続することなくジャケット内に医療用モジュールを配置することにより、スマートフォンの正確なデザインに関係なく医療用モジュールを設計することが可能であり、また更には医用測定プロセス中にこれらの要素のうちの１つ又は複数の要素を医療用モジュールにより覆い隠すことが可能である。
【００３７】
概してジャケットが、及び第２の部分が、１つ又は複数の医療用モジュールを保持するために、１つ又は複数のチャンバ、１つ又は複数のポケット、及び／或いは１つ又は複数のコンパートメントを有することができる。１つ又は複数のチャンバが、１つ又は複数の医療用モジュールを挿入するための、及び／又は少なくとも医療検査期間中において露出されるべき部品を露出するための１つ又は複数の開口部を有することができる。開口部は開いた状態を維持することができ、或いはジッパ等の任意の閉鎖要素、又は任意の固定要素によって閉じられてもよい。
【００３８】
第２の部分が、プラスチック、布、及び金属等で作られてもよい。
【００３９】
ジャケットが、単に医療用モジュールをスマートフォンの背面に接続することにより可能となる場合よりも、より多くの医療用モジュールを、及び／又はより大きいサイズの医療用モジュールを好都合な形で保管することができる。
【００４０】
ジャケットは、スマートフォンに着脱自在に接続されること、及びスマートフォンを部分的に囲むこと、等が可能である。例えば、第１の部分がスマートフォンを保持し、スマートフォンの背面、及びスマートフォンの側壁の少なくとも一部分を囲むことができ、それによりジャケットをスマートフォンに接続することができる。ジャケット又は第１の部分は弾性であってよく、スマートフォンよりわずかに小さくてよく、ジャケット又は第１の部分の中にスマートフォンを挿入することにより、第１の部分のジャケットの中でスマートフォンを維持することができる。
【００４１】
図１が、限定されないが、以下のものの任意の組み合わせ等で、１つ又は複数の医療用モジュールを有するジャケットを示す：
ａ．１つ又は複数の医療用センサ（２１０）、つまり、１つ又は複数の種類の、血圧センサ２１１、心拍センサ２１２、呼吸センサ２１３、ＥＣＧセンサ２１４、酸素センサ２１５、及び加速度計２１６、
ｂ．医療用センサ・インターフェース及び／又はフロント・エンド等の、１つ又は複数のインターフェース５９（センサと、プロセッサ及び／又は通信モジュールとの間をインターフェース接続するためのもの）、
ｃ．スマートフォンと通信するための通信インターフェース等を有することができる、センサから受信した未加工の医療用データを処理するための１つ又は複数のプロセッサ５８、
ｄ．センサ情報、及び１つ又は複数のセンサによって実行されるべき命令、等を保存するための、メモリ・ユニット２１２等の１つ又は複数のメモリ・ユニット。
【００４２】
これらの多様な医療用モジュールは、覆い隠される形で、覆い隠されない形で、又は部分的に覆い隠される形で、ジャケット内に含まれてもよい。
【００４３】
これらの多様な医療用モジュールは、第１の部分、インターフェース、及び／又は第２の部分に接続され得、及び／又は第１の部分、インターフェース、及び／又は第２の部分の中に含まれ得、並びに／或いは第１の部分、インターフェース、及び／又は第２の部分によって少なくとも部分的に覆い隠されてもよい。
【００４４】
図２が、体温計３５、試料を分析することができ、また特には血液又は他の液体の試料を分析することができる医療用モジュールへと供給されるストリップ又は別の試料採取要素を挿入するためのスロット３６（又は、他の開口部）を有する化学検査モジュール、等の、１つ又は複数の医療用モジュールを有するものとして、ジャケット１０を示している。分析には、ｇｌｙｃｏｓｅ  ｔｅｓｔｓ、ヘモグロビン検査、コレステロール検査、及び任意の他の体液化学検査を含めた、化学検査等の検査を実施することが含まれてよい。スロットを有する医療用モジュールは検査に単に部分的に関与することができる。
【００４５】
生体インピーダンス検査（ＥＣＧ、脂肪検査、心拍検査、ストレス検査）等のための、２つの露出される電極が存在する。
【００４６】
光学センサのためのアパーチャ３３が存在する。別のカメラ又は任意の他のセンサのための別のアパーチャ３４が存在してもよい。
【００４７】
特に、第１の部分２０がインターフェース４０を介して第２の部分３０に機械的に結合される。図２では、インターフェース４０が折り畳み可能な材料で作られ、第１の部分２０及び移動可能モジュールのそれぞれの長手方向端部の全体に接続される。
【００４８】
図３がスマートフォンを少なくとも部分的に囲むジャケットを示す。スマートフォンがインターフェース４０によって覆い隠され、第２の部分３０と第１の部分２０との間に配置される。図３はジャケットが閉じられているときのジャケットを示している。図３が、スマートフォンのノブ、ボタン、及び／又はセンサまでの明瞭な経路を提供するための、インターフェース４０内に形成されるアパーチャ４１を示す。
【００４９】
図３は更に、体温計３５及びスロット３６等の医療用デバイスを示している。図３は更に、スマートフォンの対応する電気回路及び／又は電極に接触するように配置される、第２の部分の中に位置する電極３１及び３２を示している。
【００５０】
図４は閉位置にあるときのジャケットの側面図である。第２の部分３０がインターフェース４０の上方に配置され、インターフェース４０が第１の部分２０の上方に配置される。図４は更にアパーチャ４１を示している。図４が、スマートフォンを少なくとも部分的に囲むジャケットを示す。スマートフォンがインターフェース４０によって覆い隠され、第２の部分３０と第１の部分２０との間に配置される。
【００５１】
図５は、ジャケットが閉位置にあるときのジャケット及びスマートフォン１００の断面図である。第１の電極３１及び第２の電極３２がスマートフォン１００の電極１０１及び１０２に（それぞれ）接触し、第２の部分３０の前方表面３０１によって覆い隠されない。電極が前方表面の上方を延在してよいか、又は前方表面と同じ高さのところにあってよい。
【００５２】
第２の部分３０がインターフェース４０の上方に配置され、インターフェース４０が第１の部分２０の上方に配置される。図４はまたアパーチャ４１を示している。図４が、スマートフォンを少なくとも部分的に囲むジャケットを示す。スマートフォンがインターフェース４０によって覆い隠され、第２の部分３０と第１の部分２０との間に配置される。
【００５３】
図５では、スマートフォンの前面１１２（例えば、スクリーンのための）が第１の部分の方を向き、これに対してスマートフォンの背面１１１が第２の部分３０の方を向く。
【００５４】
図６は第２の部分３０の上面図である。第２の部分がボディ３０２を有し、その中に電極３１及び３２、並びにアパーチャ３３が形成される。
【００５５】
図７は、開位置にあるときのジャケットの側面図である。この位置では、第１の部分２０及びインターフェース４０がスマートフォン１００の下方に延在し、これに対して第２の部分３０がスマートフォンの上方に配置される。この位置では、使用者がスマートフォンのスクリーンを視認することができ、ＥＣＧ測定等の電極ベースの検査を実施するために電極３１及び３２を使用者に取り付けることができる。
【００５６】
図７では、スマートフォンの前方表面１１２（例えば、スクリーン）がインターフェース及び第１の部分の上方にあり、対してスマートフォンの背面１１１が第２の部分３０の方を向く。
【００５７】
図８は、閉位置にあるときのジャケットの（スマートフォン１００の狭い方の寸法の）側面図である。図８は第１の部分２０と第２の部分３０との間にあるスマートフォン１００を示しており、更に電極３１を示している。
【００５８】
図９〜１１は、開位置にあるときのジャケットの（スマートフォン１００の狭い方の寸法の）側面図である。図９では、第１の部分がインターフェース４０の下方で広げられている。図１０では、第１の部分２０がインターフェース４０の下方で折り畳まれている。図１１では、第１の部分２０が巻かれている。図９〜１１では、スマートフォン１００が、少なくとも大部分において、第１の部分２０の上方及び第２の部分３０の下方にある。図９〜１１は更に電極３１を示している。
【００５９】
図１２は、閉位置にあるときのジャケットの側面図である。第２の部分３０がインターフェース４０の上方に配置され、インターフェース４０が第１の部分２０の上方に配置される。図１２は更にアパーチャ４１を示している。図１２が、スマートフォンを少なくとも部分的に囲むジャケットを示す。スマートフォンがインターフェース４０によって覆い隠され、第２の部分３０と第１の部分２０との間に配置される。図１２は更に体温計３５及びスロット３６を示している。
【００６０】
図１３〜１７は、ジャケットが閉位置あるときのジャケット及びスマートフォン１００の断面図である。便宜的に第１の電極３１のみが示される。第１の電極３１がスマートフォン１００の電極１０１に接触し、第２の部分３０の前方表面によって覆い隠されない。電極が前方表面の上方を延在してよいか、又は前方表面と同じ高さのところにあってよい。
【００６１】
図１３はまた、体温計３５に対して、及びスロット３６内に挿入される試料採取要素を介して提供される試料を少なくとも部分的に処理する医療用モジュール（分析器５０等）に対して、（ワイヤ、又はワイヤのグループ５１及び５２を介して）電気的に結合されるスマートフォン・インターフェース１０３を示す。
【００６２】
図１４はまた、体温計３５に対して、及び医療用モジュール（分析器５０等）に対して、（ワイヤ、又はワイヤのグループ５１及び５２を介して）それぞれ電気的に結合されるスマートフォン・インターフェース１０３及び１０４を示す。分析器５０が、スロット３６内に挿入される試料採取要素を介して提供される試料を少なくとも部分的に処理する。
【００６３】
図１５はまた、体温計３５に対して、及び医療用モジュール（分析器５０等）に対して、（ワイヤ、又はワイヤのグループ５１及び５２、並びに１つ又は複数のインターフェース５９を介して）それぞれ電気的に結合されるスマートフォン・インターフェース１０３を示す。分析器５０が、スロット３６内に挿入される試料採取要素を介して提供される試料を少なくとも部分的に処理する。
【００６４】
図１６はまた、体温計３５に対して、及び医療用モジュール（分析器５０等）に対して、（ワイヤ、又はワイヤのグループ５１及び５２、並びに１つ又は複数のインターフェース５９を介して）それぞれ電気的に結合されるスマートフォン・インターフェース１０３を示す。分析器５０が、スロット３６内に挿入される試料採取要素を介して提供される試料を少なくとも部分的に処理する。１つ又は複数のプロセッサ５８もまた、１つ又は複数のインターフェース５９に結合される。これらの１つ又は複数のプロセッサが、検出信号を処理すること、及び１つ又は複数のセンサを制御すること、等の、種々のタスクを実施することができる。
【００６５】
図１７はまた、ワイヤ５７又は導体要素の任意の組み合わせにより、１つ又は複数のインターフェース５９に結合されるスマートフォン・インターフェース１１８を示す。これらの１つ又は複数のインターフェースは、体温計３５に対して、及び分析器５０に対して結合された状態で、又は電気的に結合された状態で示されている。
【００６６】
図１８〜１９は、ジャケットが閉位置にあるときのジャケット及びスマートフォン１００の断面図である。
【００６７】
図１８では、医療用モジュール１４１及び１４２が、電極１０１と電極１０２との間及び電極１３１と電極１３２との間のそれぞれで、電気的に結合される。電極１３２及び１３２は第１の部分の他の部分によって覆い隠されていなくてよく、電極１０１及び１０２の表面より大きい表面を有してよい。大きい表面は、使用者とのより良好な接触を実現することを目的として、及び／又は任意の他の理由により必要である可能性がある。医療用モジュール１４１及び１４２は導体であってよく、及び／又は、フィルター及びプロセッサ等の処理回路を含むことができる。
【００６８】
図１８では、導体１３１及び１３１がそれらの下側表面より大幅に大きい頂部表面を有し、したがって、頂部表面がスマートフォン１００の電極１０１及び１０２より大きい。電極１３１及び１３２が第１の部分の他の部分によって覆い隠されていなくてよく、電極１０１及び１０２の表面より大きい表面を有してよい。大きい表面は、使用者とのより良好な接触を実現することを目的として、及び／又は任意の他の理由により必要である可能性がある。
【００６９】
図２１は第１の部分２０の上面図である。第１の部分２０がアパーチャであり、電極３２及び３２並びに第２の部分のアパーチャ３３の位置に対応するアパーチャ２１、２２、及び２３を有する。この構成では、第１の部分が、第２の部分の第１の電極３１及び第２の電極３２を覆い隠さないように、またアパーチャ３３を覆い隠さないように、第２の部分の上に配置されてもよい。
【００７０】
図２３は、閉位置にあるジャケットの（スマートフォン１００の狭い方の寸法の）側面図である。スマートフォン１００が第１の部分と第２の部分３０との間に配置される。図２３はまたインターフェース４０及び電極３１を示す。
【００７１】
図２４は、開位置にあるジャケットの（スマートフォン１００の狭い方の寸法の）側面図である。第２の部分３０がスマートフォン１００と第１の部分２０との間に配置される。図２４は更に、インターフェース４０、並びにスマートフォン１００の両側の側部１１１及び１１２を示す。
【００７２】
図２４はスマートフォン１００及びジャケット１０を示している。ジャケットが、第１の部分２０と、インターフェース４０と、内部空間６０を画定する側壁１７１、１７２、１７３、及び１７４を有する第２の部分３０とを有し、内部空間６０の中にスマートフォン１００が挿入されてもよい。内部空間６０がスマートフォン１００に適合することができる。スマートフォンが、内部空間の中に挿入されるときに第２の部分３０によって少なくとも部分的に囲まれてもよい。
【００７３】
スマートフォン１００は、イメージ・センサ１０５及び１０６（又は、照明モジュール及びセンサ）、並びに電極１０１及び１０２を有するものとして示される。
【００７４】
側壁１７１が電極３１、３２を有するとともに、イメージ・センサ１０５及び１０６並びに電極１０１及び１０２の位置に適合するアパーチャ３３を有する。
【００７５】
適合するとは、内部空間６０の中にスマートフォンが挿入されるときに電極１０１及び１０２が電極３１及び３２によりそれぞれ接触されて、イメージ・センサ１０５及び１０６がアパーチャ３３によって覆い隠されないことを意味する。
【００７６】
スマートフォン１００が、内部空間内に位置する及び／又は内部空間の外部に位置する着脱要素により内部空間から脱着されてもよい。例えば、（内部空間の中に挿入されている場合）１つ又は複数のレースがスマートフォンを囲むことができ、内部空間の中でスマートフォンを保持することができる。
【００７７】
ジャケットが閉じられているとき、電極１０１及び１０２並びにイメージ・センサ１０５及び１０６が保護される。
【００７８】
背面パネル１１１が側壁１７４の方を向き、フロント・パネル１１２が側壁１７４の方を向いていてよい。
【００７９】
図２５がスマートフォン１００及びジャケット１０を示している。ジャケットが、第１の部分２０と、インターフェース４０と、内部空間６０を画定する側壁１７１、１７２、１７３、及び１７４を有する第２の部分３０とを有し、内部空間６０の中にスマートフォン１００が挿入されてもよい。ジャケットはまた体温計３５を有する。
【００８０】
図２６及び２７が、側壁１７４の窓３８に位置合わせされるスマートフォン１００のスクリーン１２０を示しており、その結果、スクリーンの大部分又はスクリーンの全体が窓３８によって覆い隠されない。窓３８はフィルタリング要素及び／又は透明な保護シールドを有していてもよい。
【００８１】
図２８及び３０は、ジャケット及びスマートフォンの（スマートフォン１００の狭い方の寸法の）側面図である。インターフェース４０が側壁１７５の中央部分に接続され、ジャケットの一方の側壁を覆い隠す位置と、ジャケットの反対側の側壁を覆い隠す別の位置との間で移動させられてもよい。
【００８２】
図３０は、ポケット３１１、３１２、３１３、及び３１４を有するジャケットを示しており、これらのポケットの中に医療用モジュール３０１、３０２、３０３、及び３０４が配置される。
【００８３】
上の図のうちの任意の図に示される任意の要素の任意の組み合わせが提供されてもよい。
【００８４】
医療用モジュールの数は図１〜３０の各々の図に示される医療用部材の数とは異なっていてもよい。例えば、第２の部分が任意の整数個の電極を有することができ、又は電極を一切有さなくてもよい。
【００８５】
医療用モジュールの種類は図１〜３０の各々の図に示される医療用部材の種類とは異なっていてもよい。
【００８６】
スマートフォンは、単に、コンピュータ化されたシステムの、特には通信システムの例である。コンピュータ化されたシステムは、ジャケットの医療用モジュールから提供されるデータを処理することに関与すること、及びそのようなデータを単に伝達すること、等が可能である。
【００８７】
ジャケット内に位置する１つ又は複数の医療用モジュールを動作させるための方法が提供され得る。この方法が、ジャケットを開位置に位置決めすること、及びジャケットの医療用モジュールにより医用測定を実施することを含むことができる。
【００８８】
「備える」又は「有する」という表現のいかなる使用も、「から構成される」又は「から実質的に構成される」ということにも言及しているものとして解釈されるべきである。例えば、特定のステップを含む１つの方法は、追加のステップを含むこと、これらの特定のステップのみに限定されること、或いはその方法の基本的な性質及び新規な性質に実質的に影響しないような追加のステップを含むこと、のそれぞれが可能である。
【００８９】
上記の明細書では、本発明の実施例の特定の実例を参照して本発明を説明してきた。しかし、添付の特許請求の範囲に記載される本発明の広範な精神及び範囲から逸脱することなく、本発明内で多様な修正形態及び変更形態が作られることは明らかであろう。
【００９０】
また、本説明及び特許請求の範囲における、存在する場合の、「前方」、「後方」、「頂部」、「底部」、「上」、及び「下」等の表現は、説明を目的として使用されるものであり、必ずしも永久的な相対位置を説明するためのものではない。そのように使用されるこれらの表現が適切な状況下においては置換可能であり、その結果、本明細書で説明される本発明の実施例が、例えば、本明細書に示される向き又は他の形で説明される向きとは別の向きで動作することができることを理解されたい。
【００９１】
論理ブロックの間の境界が単に説明的なものであること、及び代替的実施例が論理ブロック又は回路要素を統合してもよく、或いは種々の論理ブロック又は回路要素に対して代替的な機能の分割を行ってもよいことを当業者であれば認識するであろう。したがって、本明細書に描かれるアーキテクチャが単に例示であること、及び実際には同じ機能を達成する多くの他のアーキテクチャが実装されてもよいことを理解されたい。
【００９２】
同じ機能を達成する構成要素の任意の構成が、所望の機能を達成することを目的として効果的に「関連付け」られる。したがって、特定の機能を達成するように組み合わされる本明細書の任意の２つの構成要素は、アーキテクチャに関係なく、また中間的な構成要素に関係なく、所望の機能を達成することを目的として互いに「関連付けられる」ものとしてみられ得る。同様に、このようにして関連付けられる任意の２つの構成要素は、所望の機能を達成することを目的として互いに「動作可能に接続される」又は「動作可能に結合される」ものと考えられてもよい。
【００９３】
更に、上述のオペレーションの間の境界が単に説明的なものであることを当業者であれば認識するであろう。複数のオペレーションが単一のオペレーションとなるように組み合されてもよく、単一のオペレーションが追加のオペレーションへと分けられてもよく、またオペレーションが時間的に少なくとも部分的に重複するように実行されもてよい。また、代替的実施例が特定のオペレーションの複数の例を含むことができ、オペレーションの順序が種々の他の実施例において変更されてもよい。
【００９４】
また、例えば、一実施例において、示される実例が、単一の集積回路上に位置するか又は同一のデバイスの中に位置する回路として実装されてもよい。別法として、実例が、適切な手法で互いに相互接続される任意の数の別個の集積回路又は別個のデバイスとして実装されてもよい。
【００９５】
また、例えば、実例又はその実例の一部が、任意適切な種類のハードウェア記述言語等の、物理的な回路のソフト表現又はコード表現、或いは物理的な回路へと変換可能である論理表現のソフト表現又はコード表現として実装されてもよい。
【００９６】
また、本発明は、非プログラム可能なハードウェアの中に実装される物理的なデバイス又はユニットのみに限定されず、本出願では通常は「コンピュータ・システム」と称されるような、メインフレーム、ミニコンピュータ、サーバ、ワークステーション、パーソナル・コンピュータ、ノートパッド、携帯情報端末、コンピュータ・ゲーム、自動車システム又は他の埋込みシステム、セルホン、及び多様な他のワイヤレス・デバイス等の、適切なプログラム・コードに従って動作することにより所望のデバイス機能を実行することができるプログラム可能なデバイス又はユニットに適用されてもよい。
【００９７】
しかしながら他の修正形態、変形形態、及び代替形態も可能である。したがって、本明細書及び図面は、限定的な意味ではなく例示的な意味として解釈されるべきである。
【００９８】
特許請求の範囲では、括弧内のいかなる参照符号も特許請求の範囲を限定するものとして解釈されないものとする。「備える」という語は、特許請求の範囲に記載される要素又はステップ以外の他の要素又はステップの存在を排除するものではない。更に、本明細書で使用される単語「ａ」又は「ａｎ」は、１つではなく、１つ又は複数として定義される。また、同一の請求項が「１つ又は複数の」又は「少なくとも１つの」という前置きのフレーズ、及び「ａ」又は「ａｎ」等の不定冠詞を含む場合であっても、「少なくとも１つの」及び「１つ又は複数の」等の前置きのフレーズを特許請求の範囲内で使用することは、不定冠詞「ａ」又は「ａｎ」により別のクレーム要素が導入されることの結果として、このようにして導入されるクレーム要素を含む任意の特定の請求項が、このような要素を１つのみ含む発明のみに限定されてしまう、ということを意味するものとして解釈されるべきではない。同じことが定冠詞の使用にも当てはまる。特に明記しない限り、「第１」及び「第２」等の単語は、これらの単語によって説明される要素の間を任意に区別するのに使用される。したがって、これらの単語は、これらの要素の時間的な優先順位付け又は他の優先順位付けを示すことを必ずしも意図されない。相互に異なる請求項には特定の処置が記載されるという単なる事実は、これらの処置の組み合わせが利益をもたらすのに使用され得ないということも示すものではない。
【００９９】
本明細書では本発明の特定の特徴を示して説明してきたが、当業者であれば多くの修正形態、置換形態、変形、及び均等物を思い付くであろう。したがって、添付の特許請求の範囲が、本発明の真の精神の範囲内にあるすべての修正形態及び変形を包含することを意図されることを理解されたい。
【図１】
2019536302.tif 000003
【図２】
2019536302.tif 000004
【図３】
2019536302.tif 000005
【図４】
2019536302.tif 000006
【図５】
2019536302.tif 000007
【図６】
2019536302.tif 000008
【図７】
2019536302.tif 000009
【図８】
2019536302.tif 000010
【図９】
2019536302.tif 000011
【図１０】
2019536302.tif 000012
【図１１】
2019536302.tif 000013
【図１２】
2019536302.tif 000014
【図１３】
2019536302.tif 000015
【図１４】
2019536302.tif 000016
【図１５】
2019536302.tif 000017
【図１６】
2019536302.tif 000018
【図１７】
2019536302.tif 000019
【図１８】
2019536302.tif 000020
【図１９】
2019536302.tif 000021
【図２１】
2019536302.tif 000022
【図２２】
2019536302.tif 000023
【図２３】
2019536302.tif 000024
【図２４】
2019536302.tif 000025
【図２５】
2019536302.tif 000026
【図２６】
2019536302.tif 000027
【図２７】
2019536302.tif 000028
【図２８】
2019536302.tif 000029
【図２９】
2019536302.tif 000030
【図３０】
2019536302.tif 000031
【国際調査報告】
2019536302.tif 000032
2019536302.tif 000033
2019536302.tif 000034